(57)【要約】【課題】再生している楽曲と同一の楽曲のＨＤＤへの記録が完了していない状態で、オーバーフローが生じにくく、これにより音切れが発生しにくい録音再生装置を提供する。【解決手段】ディスクに記録された音声信号を再生速度よりも速い速度で読出し可能な読出し手段と、該読出し手段で読み出された音声信号を一時記録するバッファ手段と、該バッファ手段で一時記録された音声信号を記録する記録手段と、該記録手段で記録された音声信号を再生する音声信号再生手段と、を備えた録音再生装置において、前記読出し手段によるディスク先頭曲の音声信号の読出し速度を、ディスク先頭曲以外の音声信号の読出し速度より低倍速で読出し制御する制御手段を備える。【選択図】図３
2007200492.tif 000002
【特許請求の範囲】
【請求項１】
ディスクに記録された音声信号を再生速度よりも速い速度で読出す読出手段と、読出された音声信号を一時記憶するバッファ手段と、一時記憶された音声信号を記録する記録手段と、記録された音声信号を再生する音声信号再生手段と、を備えた録音再生装置において、
前記読出手段によるディスク先頭部の音声信号群の読出し速度を、ディスク先頭部以外の音声信号群の音声信号の読出し速度より低い速度で読出し制御する制御手段を備えたことを特徴とする録音再生装置。
【請求項２】
ディスクに記録された音声信号を再生速度よりも速い速度で読出す読出手段と、音声信号を一時記憶するバッファ手段と、一時記憶された音声信号を記録する記録手段と、記録された音声信号を再生する音声信号再生手段と、を備えた録音再生装置において、
前記読出手段の音声信号の読出し速度を制御する制御手段を、備え、
前記制御手段は、読出手段が再度ディスクの同一の音声信号群の音声信号を読み出す際に、前回の音声信号読出し速度よりも低い速度で読出すように制御することを特徴とする録音再生装置。
【請求項３】
読出手段で読み出した信号を圧縮処理して記録手段に記録する圧縮処理手段と、を備え、
ディスクに記録された音声信号を低い速度で読み出す際は、圧縮処理しないことを特徴とする請求項１又は２に記載の録音再生装置。
【請求項４】
ディスクに記録された音声信号を再生速度よりも速い速度で読出し、読出した音声信号を一時記憶し、一時記憶した音声信号を記録し、記録した音声信号を再生する録音再生方法において、
ディスク先頭部の音声信号群の読出し速度を、ディスク先頭部以外の音声信号群の音声信号の読出し速度より低い速度で読出すことを特徴とする録音再生方法。
【請求項５】
ディスクに記録された音声信号を再生速度よりも速い速度で読出す読出手段と、読出された音声信号を一時記憶するバッファ手段と、一時記憶された音声信号を記録する記録手段と、記録された音声信号を再生する音声信号再生手段と、を備えた車載用録音再生装置において、
前記記録手段はＨＤＤであり、前記読出手段によるディスク先頭部の音声信号群の読出し速度を、ディスク先頭部以外の音声信号群の音声信号の読出し速度より低い速度で読出し制御する制御手段を備えたことを特徴とする車載用録音再生装置。
【発明の詳細な説明】
【技術分野】
【０００１】
本発明は、録音再生装置及び録音再生方法に関し、特にディスクに記録された音声信号を読出し、該読み出した信号を例えばハードディスクドライブ（以下、ＨＤＤという）に記録するとともに再生する録音再生装置及び録音再生方法に係る。
【背景技術】
【０００２】
従来より、大容量のＨＤＤを備え、ＣＤデッキ等で読み取った音声信号を再生するとともに、該読み取った音声信号をＨＤＤに記録する録音再生装置が提供されている（例えば、特許文献１参照）。このような録音再生装置においては、ディスクに記録されている音声信号を高速で読出してＨＤＤに記録し、該ＨＤＤに記録された音声信号を通常の再生速度にて再生させることにより音声信号の記録処理と再生処理を同時に行う構成となっている。
【０００３】
図１は、従来の録音再生装置におけるＨＤＤから読出されて再生される音声信号と、ＨＤＤに記録される音声信号との対応関係を模式的に示したものである。以下、この図面を用いて、従来の再生処理（ＨＤＤからの読出し）と記録処理（ＨＤＤへの記録）の時間関係について説明する。なお、以下の説明においては、音楽、楽曲を対象とし、１曲目が４分、２曲目が６分、３曲目が８分、４曲目が８分の再生時間とする。
【０００４】
まず、同図（Ａ）に示すように、ＨＤＤに記録された１曲目の音声信号の再生が完了した時点ａに着目すると、ＨＤＤへの記録が２倍速に設定されている場合には、１曲目の記録が完了し、２曲目の記録途中となる。また、ＨＤＤへの記録が４倍速に設定されている場合には、２曲目までの記録が完了し、３曲目の記録途中となる。すなわち、ＨＤＤへの記録と再生の時間関係は、常に記録が先行して行われ、その先行度合が大きければ大きい程、以下の点で有利である。
【０００５】
すなわち、ＣＤ再生部から読出した音声信号を一時的に記憶するために、ＣＤ再生部とＨＤＤとの間に介在する録音バッファにオーバーフローが生じた場合は、録音バッファ内の音声信号を廃棄し、再び録音していた曲の先頭から音声信号を読出して録音バッファ内に蓄積するリトライ処理が行われる。例えば、図１（Ａ）の例では、時点ｂでリトライ処理が生じた場合には、２倍速録音時には２曲目の先頭から、４倍速録音時には３曲目の先頭から再び音声信号を読み込んで録音バッファ内に蓄積を開始する。
【０００６】
しかし、前述のようにＨＤＤへの記録が先行しているので、オーバーフローが生じても、ＨＤＤに記録が完了した１曲目の音声信号を読み出し続けることにより、楽曲の音切れを防止することができる。
【特許文献１】特開２００２−２６９９１１号
【発明の開示】
【発明が解決しようとする課題】
【０００７】
このようにＨＤＤへの記録が再生に対して十分に先行していれば録音バッファのオーバーフロー、すなわちリトライ処理という現象への対応強度は増加することになる。そのためＣＤ再生部は４倍速、８倍速、１６倍速というように、より高速での読出しが求められている。しかし、上記のように構成された録音再生装置にあっては、図１（Ｂ）に示すように、再生している先頭曲と同一の音声信号のＨＤＤへの記録が完了していない時点ｃで、震動によるＨＤＤへのアクセス不可に起因する録音バッファのオーバーフローが生じた場合、ＨＤＤから読み出す音声信号が途中までしかＨＤＤに記録されていないので、リトライ処理時に録音バッファ内の音声信号が廃棄されることにより、楽曲途中から出力すべき音声信号が存在せず楽曲の音切れが発生するという問題があった。
【０００８】
本発明は、上記課題を解決するためになされたものであり、再生している楽曲と同一の楽曲のＨＤＤへの記録が完了していない状態で、オーバーフローが生じにくく、これにより音切れが発生しにくい録音再生装置を提供することを目的とする。
【課題を解決するための手段】
【０００９】
ＨＤＤへの記録がある量以上、例えば1曲が完全に終了するまでは、録音バッファのオーバーフロー、すなわち、リトライ処理が生じないようにした点に着目した。
【００１０】
そのために、請求項１の発明は、ディスクに記録された音声信号を再生速度よりも速い速度で読出す読出手段と、読出された音声信号を一時記憶するバッファ手段と、一時記憶された音声信号を記録する記録手段と、記録された音声信号を再生する音声信号再生手段と、を備えた録音再生装置において、前記読出手段によるディスク先頭部の音声信号群の読出し速度を、ディスク先頭部以外の音声信号群の音声信号の読出し速度より低い速度で読出し制御する制御手段を備えたことを特徴とする。
【００１１】
上記のように構成することにより、ディスク先頭部の音声信号群の読出し速度が、先頭部以外の音声信号群の音声信号の読み出し速度より低い速度となるので、録音バッファに蓄積される音声信号が低い速度で蓄積されるため、ＨＤＤへのアクセス不可時に発生する録音バッファのオーバーフローを発生しにくくすることができる。
【００１２】
また、請求項２の発明は、ディスクに記録された音声信号を再生速度よりも速い速度で読出す読出手段と、音声信号を一時記憶するバッファ手段と、一時記憶された音声信号を記録する記録手段と、記録された音声信号を再生する音声信号再生手段と、を備えた録音再生装置において、前記読出手段の音声信号の読出し速度を制御する制御手段を、備え、前記制御手段は、読出手段が再度ディスクの同一の音声信号群の音声信号を読み出す際に、前回の音声信号読出し速度よりも低い速度で読出すように制御することを特徴とする。
【００１３】
上記のように構成することにより、読出手段による再度の同一の音声信号群の音声信号が前回より低い速度で読み出されるので、ＨＤＤへのアクセス不可によるオーバーフローに起因するリトライ処理が発生した場合、再度の録音バッファのオーバーフローを生じにくくすることができる。
【００１４】
請求項３の発明は、請求項１又は２に記載された発明において、読出手段で読み出した信号を圧縮処理する圧縮処理手段と、該圧縮処理された信号を記録する記録手段と、を備え、ディスクに記録された音声信号を低い速度で読み出す際は、圧縮処理しないことを特徴とする。
【００１５】
上記のように構成することにより、ディスクに記録された音声信号を低い速度で読出す際は、圧縮処理（エンコード処理）を行われないので、ＨＤＤにアクセスする回数を減らすことにより、震動による影響を小さくすることができる。
【００１６】
請求項４の発明は、ディスクに記録された音声信号を再生速度よりも速い速度で読出し、読出した音声信号を一時記憶し、一時記憶した音声信号を記録し、記録した音声信号を再生する録音再生方法において、ディスク先頭部の音声信号群の読出し速度を、ディスク先頭部以外の音声信号群の音声信号の読出し速度より低い速度で読出すことを特徴とする。
【００１７】
上記のように構成することにより、ディスク先頭部の音声信号群の読出し速度が、先頭部以外の音声信号群の音声信号の読み出し速度より低い速度となるので、録音バッファに蓄積される音声信号が低い速度で蓄積されるため、ＨＤＤへのアクセス不可時に発生する録音バッファのオーバーフローを発生しにくくすることができる。
【００１８】
請求項５の発明は、ディスクに記録された音声信号を再生速度よりも速い速度で読出す読出手段と、読出された音声信号を一時記憶するバッファ手段と、一時記憶された音声信号を記録する記録手段と、記録された音声信号を再生する音声信号再生手段と、を備えた車載用録音再生装置において、記録手段は、ＨＤＤであり、前記読出手段によるディスク先頭部の音声信号群の読出し速度を、ディスク先頭部以外の音声信号群の音声信号の読出し速度より低い速度で読出し制御する制御手段を備えたことを特徴とする。
【００１９】
上記のように構成することにより、記録開始直後のディスク先頭部の音声信号群の読出し速度が、先頭部以外の音声信号群の音声信号の読み出し速度より低い速度となるので、録音バッファに蓄積される音声信号が低い速度で蓄積されるため、車載用であることによる震動の発生によりＨＤＤへのアクセス不可が発生した場合に、このことによる録音バッファのオーバーフローを発生しにくくすることができる。
【発明の効果】
【００２０】
本発明によれば、記録開始直後のディスク先頭部の音声信号群の音声信号を読み出している際の録音バッファのオーバーフローが発生しにくい環境を作ることができる。また、高倍速で記録途中において再度の同一の音声信号群の音声信号を読み出している際の録音バッファのオーバーフローが発生しにくい環境を作ることができる。
【発明を実施するための最良の形態】
【００２１】
以下、図面を用いて説明する。なお、以下の説明においては、録音再生装置が、他の機能を有する装置と複合された複合装置に適用された場合について説明する。このため、まず、複合装置全体の構成について説明した後、録音再生装置に該当する部分について説明する。
【００２２】
図２は、ナビゲーション機能、ＣＤ（Compact  Disc）、ＨＤＤ等の記録媒体に記録された音声信号やラジオ放送を再生する音響再生機能、ＤＶＤ（Digital Versatile Disk）、ＨＤＤ等の記録媒体に記録された画像信号やテレビ放送を再生する画像再生機能を有する複合装置（以降、ＡＶＮ（Audio Visual Navigation）装置と称する）の車両への搭載例を示す斜視図である。
【００２３】
図中、１２は助手席、１３は運転席、１４はフロントガラス、１５は操作部、１６はスピーカである。ＡＶＮ装置の表示部７は液晶表示素子により構成され、多くの場合、運転席１３と助手席１２とのほぼ中央に設けられる。ＡＶＮ装置に対する各種操作は、表示部７の表面側に配置された透明フィルムスイッチ等により構成されるタッチパネルや操作部１５、赤外線方式や無線方式のリモートコントローラによって行われる。車両の各ドアにはスピーカ１６が配置され、表示画像に連動した音声や警告音等が出力される。
【００２４】
図３は、ＡＶＮ装置の概略を示すブロック図である。図中、１２４はタッチパネル、２００は制御部、２０１はＣＤ再生部、２０２はラジオ受信部、２０３はＴＶ受信部、２０４はＤＶＤ再生部、２０５はＨＤ再生部、２０６はナビゲーション部、２０７は選択処理部、２０８は画像処理回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００２５】
表示部７は、ＴＶ画像や経路案内図を表示するもので、液晶パネル１００及びバックライト１０１から構成される。また、液晶パネル１００の表側に設置された透明フィルムスイッチ等により構成されるタッチパネル１２４により、表示部７はタッチ操作機能を備えている。尚、表示部７を液晶パネル以外のフラットパネルディスレイ、例えば有機ＥＬディスプレイパネル、プラズマディスプレイパネル、冷陰極フラットパネルディスプレイ等を用いることもでき、また奥行き寸法に問題がなければ陰極線（ブラウン）管を用いることも可能である。
【００２６】
ＣＤ再生部２０１は、ＣＤに記録された音声信号を読み取り、選択処理部２０７に出力する。ラジオ受信部２０２は、ラジオ放送波を受信し、選択処理部２０７に出力する。ＴＶ受信部２０３は、テレビ放送波を受信し、選択処理部２０７に出力する。また、ＴＶ受信部２０３は、受信状態の良いアンテナを選択的に接続するセレクタ２１４を介して複数のアンテナが接続されたダイバーシティ受信方式が適用されている。ＤＶＤ再生部２０４は、ＤＶＤに記録された信号を読み取り、選択処理部２０７に出力する。ＨＤ部２０５は、磁気ディスクに記録された信号を読み取り、選択処理部２０７に出力すると共に、選択処理部２０７からの入力信号を磁気ディスクに記録する。尚、ＨＤ部２０５は、ナビゲーション部２０６が用いる経路探索用と地図や風景表示用の道路データ、楽曲の音声データ、楽曲における曲名等の楽曲情報データを記憶し、またデータ処理のための一時記憶にも用いられる。カメラ２２０は、車両後方を撮像し、選択処理部２０７に出力する。
【００２７】
ナビゲーション部２０６は、使用者により設定された目的地までの経路を探索し、表示部７に案内画像を表示するもので、ＧＰＳ情報受信部２１３、車速センサ２２４，ジャイロ２２３からの信号を入力して自車位置を検出し、またＶＩＣＳ情報受信部２１２から交通情報を入力し、これらの情報を用いて経路探索、経路案内、交通情報の報知等を行う。
【００２８】
尚、ＧＰＳ情報受信部２１３はＧＰＳ衛星からのＧＰＳ信号を受信してそのＧＰＳ信号に基づき自車位置を算出する。車速センサ２２４は速度計やエンジン制御に用いられる車速センサが兼用され、車速信号を出力する。ジャイロ２２３は、２次元、あるいは３次元の半導体加速度検出器等により構成され、車両の角速度を検出する。そして、その角速度を積分処理し、積分処理開始時点における車両の基準方位に加算することにより車両の方向が求められる。
【００２９】
尚、車両の基準方位は、車両の方位を確定できる時点、例えば所定距離以上の直線走行が継続した時点で、自車位置情報（それまでにＧＰＳ情報等により算出された位置情報を使用）と地図情報との照合によりその走行路の方位を基準方位とする等、の方法により確定される。そして、求められた車両方位と車速とから速度（進行方向と速さ）を算出し、その速度を積分処理すると共に、基準位置に加算することにより車両位置が算出される。そして、車速センサ２２４及びジャイロ２２３により算出された自車位置が基準として採用され、ＧＰＳ情報受信部２１３により算出された自車位置が補完的、例えば所定時間毎にＧＰＳ情報受信部２１３により算出された自車位置により補正する処理が行われる。また、算出された自車位置を、道路データと照合して自車位置を補正する処理、例えば自車位置が道路データに基づき道路の存在しない位置にある場合に近い位置にある道路上に自車位置を補正する等の処理が行われる。
ＶＩＣＳ情報受信部２１２は、道路に沿って設置された光及び電波ビーコンから送信される交通情報、またＦＭ放送波に重畳される交通情報を受信し、ナビゲーション部２０６に出力する。ナビゲーション部２０６では、この交通情報を表示部７に表示したり、交通情報における渋滞情報・交通規制情報等を用いてこれら交通情報を反映した経路探索を行ったりする。
【００３０】
ＥＴＣ（Electronic  Toll  Collection）車載器２２４は、有料道路のゲート等に設置されたＥＴＣ路上機を介してＥＴＣセンターのセンター装置と通信し、有料道路の通行料精算処理等を行う。通信ユニット２２５は、無線通信網と接続して、インターネットや電子メール等を行うためのもので、無線（携帯）電話器、無線ＬＡＮ装置等により構成される。
【００３１】
リモコン送受信部２１６は、リモコン２１７と赤外線や電波により双方向通信接続され、リモコン操作者に操作に基づくリモコン２１７からの操作指示信号を受信し、またリモコン２１７における表示等のための報知情報や、リモコン２１７の動作モードを制御するための制御信号を送信する。操作部２１５は、ＡＶＮ装置に各種操作を行うためのもので、表示部７周囲に配置された押しボタンスイッチ等により構成される。尚、タッチパネル１２４も操作部２１５の一種で、タッチパネル１２４では表示部７の表示内容と連動してその操作内容が特定され、ＡＶＮ装置の対応する動作が行われることとなる。
【００３２】
メモリ２１８は、各種動作実現のためのプログラムやデータ、また各種処理実行中におけるデータの一時記憶のための半導体記憶装置で、ＲＯＭ，ＲＡＭにより構成され、必要に応じて電気的に書換可能なＥＥＰＲＯＭや、電源スイッチがオフ状態でも記憶内容保持用の電源供給が維持される電源バックアップ機能が施されたＲＡＭが用いられる。
【００３３】
選択処理部２０７は、ＣＤ再生部２０１、ラジオ受信部２０２等の再生信号源からの信号を選択して入力し、また必要に応じてそれらの信号を処理すると共に選択して出力するもので、切替スイッチ回路、ＤＳＰ等からなるデジタル信号処理回路、メモリ等により構成される。音声調整回路２１０は、音声信号を処理して出力音声のレベルの調整、周波数特性の調整、音場特性（遅延処理等による反射音，残響音特性）の調整するもので、ＤＳＰ等からなるデジタル信号処理回路により構成される。この音声調整回路２１０で処理された音声信号は増幅器(図示せず)で増幅され、スピーカ１６から音声として出力される。
【００３４】
画像調整回路２０８は、画像信号を処理して表示画像の色調、明るさ、コントラスト調整、また分割画面や拡大・縮小画面、文字等を重畳表示するスーパーインポーズ処理を行うもので、処理対象の画像データを記憶する画像メモリ、画像メモリに記憶された画像データにデジタル演算処理を施すＤＳＰ等からなる画像デジタル処理回路、表示出力画像が記録されるＶＲＡＭ（ビデオＲＡＭ）等により構成される。画像出力部２１１は、画像処理部２０８のＶＲＡＭに記憶されたデータに基づき液晶パネル１００を駆動して所望画像を表示部７に表示するもので、ＶＲＡＭに記憶されたデータを液晶パネル１００駆動用の画像信号に変換する変換回路や増幅回路、同期信号生成回路等により構成される。
【００３５】
制御部２００は、操作部２１５等、各種入力部からの信号に基づき、ＣＤ再生部における再生開始、再生停止、選曲等の各構成要素の各種動作、画像調整部２０８や音声調整部２１０等の信号処理動作等を制御して、ＡＶＮ装置の動作全般を制御するもので、マイクロコンピュータにより構成される。
【００３６】
次ぎに、ＨＤ部２０５に記録されたデータについて説明する。図４は、ＨＤ部２０５の記録内容の概要を示す模式図である。ＨＤ部２０５には、処理を施すために楽曲の音声信号等の音声データを一時記録するための一時記録用データ領域Ｈ１、圧縮処理が施された楽曲の音声データ（以降圧縮楽曲データと称する）が記録された圧縮楽曲データ領域Ｈ２、ナビゲーション部２０６が用いる道路データや目的設定用の施設データ等のデータが記録されたナビデータ記録領域Ｈ３、曲名やアーティスト名等の楽曲情報が記憶された楽曲情報データ記録領域Ｈ４、及びＣＤあるいはＤＶＤで再生された楽曲を特定するための楽曲特定データが記録された楽曲特定データ記録領域Ｈ５が設けられ、各々対応するデータが記憶されている。尚、これら領域は説明を分かり易くするために模式的に示しており、図示のようにＨＤ部２０５の磁気ディスクの領域を予め設置していても良いが、各データにコードを付加するなどして識別して選択的に読み取ることができるようにすれば事前に領域を定めて記録する必要は無い。
【００３７】
圧縮楽曲データ領域Ｈ２には、圧縮楽曲データがその圧縮方式等の圧縮情報（ＡＡＣ，ＡＴＲＡＣ３＋，ＷＭＡ，ＭＰ３等）を示すデータと共に記憶されている。  また、楽曲情報データ記録領域Ｈ４には、楽曲再生処理や楽曲検索等のための楽曲情報Ｇ１が記憶されている。尚、楽曲情報Ｇ１として、例えば、楽曲のＨＤ部２０５における記憶位置を示すアドレス、楽曲演奏時間、曲名、アーティスト名、アルバム名（収録ＣＤタイトル）等が記憶されている。楽曲特定データ記録領域Ｈ５には、楽曲情報と、ＣＤ（及びＤＶＤ）とその曲番とを関連付ける楽曲特定データＧ２が記憶されている。具体的には、ＣＤのＴＯＣ（Table Of Contents）情報と曲番（ＣＤ再生順）に対応付けて、楽曲情報が記憶されている。尚、これらの楽曲特定データは、ＡＶＮ装置製造時に基礎データが記憶しておき、後に発売されたＣＤ等の未記憶の楽曲特定データについては例えばＦＭ放送等の放送に重畳されたデータを取り込む方法や、インターネットを利用して取り込む方法が考えられる。
【００３８】
以上のように構成されたＡＶＮ装置において、本実施形態における録音再生装置は、例えば、制御部２００、ＣＤ再生部２０１、ＤＶＤ再生部２０４、ＨＤ部２０５、選択処理部２０７、音声調整回路２１０等により実現される。
【００３９】
次ぎに、上記のように構成された録音再生装置のＣＤ再生部２０１で演奏されたＣＤの再生、及びＨＤ部２０５に記録された楽曲の再生について記録・圧縮処理とともに説明する。図５は、選択処理部２０７におけるＣＤ再生部２０１で演奏されたＣＤ（またはＤＶＤ）の音声再生、及びＨＤ部２０５に記憶された楽曲の音声再生を行う楽曲再生部３００の構成を示す構成図である。
【００４０】
録音用バッファＲＢは、ＣＤ再生部２０１（あるいはＤＶＤ再生部２０４）からの音声データを一時記憶するＲＡＭから構成されたバッファメモリである。バッファメモリの一例について説明する。尚、他のバッファメモリ構成方法でも実施可能である。例えば、バッファメモリは、リングバッファにより構成され、ＣＤ再生部２０１からの入力データはＤＭＡＣ（Direct  Memory  Access  Controller）制御により順次巡回的に書き込まれる。また、リングバッファに書き込まれたデータは制御部２００（制御部２００より制御されるメモリコントローラ）により読み取られ、例えば、ハードディスクコントローラによる制御（制御部２００による制御）でＨＤ部２０５に書き込まれる。
【００４１】
エンコーダＥＮは、ＨＤ部２０５の一時記憶用データ領域Ｈ１に記憶された音声データに圧縮処理を施すもので、圧縮機能をハード構成（論理回路等）により実現したＬＳＩにより構成される。尚、ＣＰＵを用いたソフト処理により圧縮処理を行うことも可能である。再生用バッファＰＢは、音声再生する音声データを一時保持するＲＡＭから構成されたバッファメモリである。
【００４２】
本実施形態においては、この再生用バッファＰＢは、録音用バッファＲＢに比して、大容量に構成されている。デコーダＤＥは、再生用バッファＰＢに一時記録された音声データに施された圧縮方式に対応した伸長方式で処理し（非圧縮状態の楽曲音声データは非処理）、非圧縮状態の音声データに変換するもので、伸長機能をハード構成（論理回路等）により実現したＬＳＩにより構成される。尚、ＣＰＵを用いたソフト処理により伸長処理を行うことも可能である。
【００４３】
次ぎに、楽曲再生部３００のＣＤ再生及び記録動作について説明する。ＣＤの再生を開始するとＣＤ再生部２０１からの音声信号は、録音用バッファＲＢに記録され、またそのＴＯＣ情報は制御部２００に入力される。そして、録音用バッファＲＢに記録された音声信号は、ＨＤ部２０５の記録に適したタイミング（バッファＲＢへのデータ蓄積量が所定量以上になった等の条件が成立した時等）で、ＨＤ部２０５の一時記録用データ領域Ｈ１に所定のデータ量単位で書き込まれる。一時記録用データ領域Ｈ１に記憶された音声データはエンコーダＥＮで圧縮処理が施されて圧縮楽曲データ領域Ｈ２に記憶される。
【００４４】
また、一時記録用データ領域Ｈ１に記憶された音声データは、音声再生のため順次再生用バッファＰＢに書き込まれる。そして、再生用バッファＰＢに書き込まれた楽曲データは、曲再生タイミングに合わせて出力され、音声調回路２１０で音量調整処理、音質調整処理、音場制御処理、デジタル−アナログ変換が施された後、電力増幅されスピーカ１６から音声再生される。なお、実施形態におけるＣＤ再生部２０１は、ディスクに記録された音声信号を２倍速、或いは４倍速で読取り可能に構成されており、制御部２００からの命令に基いて読取り速度（２倍速、４倍速）を変更可能に構成されている。
【００４５】
以上の例は通常のＣＤ（非圧縮楽曲データ）の再生の場合で、圧縮楽曲データが書き込まれたＣＤ−ＲＯＭをＣＤ再生部２０１で再生した場合には、録音用バッファＲＢに記憶されるデータは、ＣＤ−ＲＯＭに記憶された圧縮楽曲データで、その圧縮方式のままで一時記録用データ領域Ｈ１に記憶され、さらに圧縮楽曲データ領域Ｈ２に記憶される。尚、圧縮楽曲データ領域Ｈ２への記録に関しては、所定の圧縮形式（圧縮楽曲データ領域Ｈ２に記憶する圧縮形式は統一する）にエンコーダＥＮで変換して記憶する方法もある。また、一時記録用データ領域Ｈ１からその圧縮方式のままで再生バッファＰＢにも記憶され、デコーダＤＥにより伸長処理が施された後に、曲再生タイミングに合わせて出力され、音声調整回路２１０で音量調整処理、音質調整処理、音場制御処理、デジタル−アナログ変換が施された後、電力増幅されスピーカ１６から音声再生される。
【００４６】
また、ＣＤ−ＲＯＭに圧縮楽曲データと共に記録された楽曲情報データが制御部２００に入力され、制御部２００はこれら楽曲情報を圧縮楽曲データ領域Ｈ２に記憶された圧縮楽曲音声データに関連付けて楽曲情報データ領域Ｈ４に記録する。また、制御部２００は、通常のＣＤ（非圧縮楽曲データ）の再生の場合と同様、音声再生出力中の楽曲について、楽曲情報データ領域Ｈ４から楽曲情報を読み込み、使用者の楽曲情報表示操作に応じて表示部７に楽曲情報に表示する。
【００４７】
次ぎに、楽曲再生部３００のＨＤ部２０５の再生動作について説明する。使用者がＨＤ部２０５（圧縮楽曲データ領域Ｈ２）に記憶された楽曲に再生指示操作を行った場合、制御部２００は、圧縮楽曲データ領域Ｈ２から該当する圧縮楽曲音声データをその圧縮方式のままで再生バッファＰＢに記憶させる。そして、再生バッファＰＢに記憶された圧縮楽曲音声データはデコーダＤＥにより伸長処理が施された後に、曲再生タイミングに合わせて出力され、音声調整回路２１０で音量調整処理、音質調整処理、音場制御処理、デジタル−アナログ変換が施された後、電力増幅されスピーカ１６から音声再生される。また、制御部２００は、音声再生出力中の楽曲について、楽曲情報データ領域Ｈ４から楽曲情報を読み込み、使用者の楽曲情報表示操作に応じて表示部７に楽曲情報に表示する。
【００４８】
次に楽曲再生部３００の動作のタイミングについて図６を用いて説明する。同図（Ａ）は、２倍速録音時の音声信号のＨＤ部２０５への記録タイミング及びＨＤ部２０５からの音声信号の再生タイミングを示しており、同図に示すように２倍速録音処理及び再生処理が共に７２６ｍｓの間隔で順に行われる。２倍速録音処理は、後述する４倍速録音処理と比較して、ディスクから音声信号を読み取る速度が遅いので読み取られた音声信号が録音用バッファＲＢ内に蓄積される速度は４倍速録音時の半分となる。このため、震動発生に伴うＨＤ部２０５へのアクセス不可の状況が発生した場合、録音用バッファＲＢがオーバーフローする可能性を低減される。
【００４９】
また、同図に示すように、２倍速録音（低い速度での録音）時には圧縮処理が行われないため、２倍速録音時は、後述する４倍速録音時に比較して、ＨＤ部２０５へアクセスする頻度が減少し、これにより、ＨＤ部２０５の震動による影響を受ける可能性を減少させている。すなわち、ＨＤ部２０５へのアクセスの回数を制限することにより、震動の発生に伴うＨＤ部２０５へアクセス不可となる状況が発生する確率を減少させ、震動に対する耐久性を向上させている。
【００５０】
図６（Ｂ）は、４倍速録音時のＨＤ部２０５への記録タイミング及びＨＤ部２０５からの再生タイミングを示しており、同図に示すように、４倍速録音処理、圧縮対象となる音声信号のエンコード読出し処理及びエンコード書込み処理が共に３２６ｍｓの間隔で順に行われている。そして、再生処理のみが７２６ｍｓで行われている。
【００５１】
すなわち、この４倍速録音処理は、２倍速録音処理と比較して、高速でＨＤ部２０５へ音声信号を記録することが可能であるが、ディスクから音声信号を読み取る速度が速いので読み取られた音声信号が録音用バッファＲＢ内に蓄積される速度は２倍となる。このため、震動発生に伴うＨＤ部２０５へのアクセス不可の状況が発生した場合、録音用バッファＲＢがオーバーフローする可能性が２倍速録音の場合と比較して増加する。
【００５２】
また、実施形態では、４倍速録音時には、ＨＤ部２０５への書込み処理時に圧縮処理が行わる。このため、４倍速録音時は、ＨＤ部２０５へアクセスする頻度が増加し、震動によりＨＤ部２０５が影響を受ける可能性が増加する。したがって、振動の発生に伴うＨＤ部２０５へアクセス不可となる状況が発生する確率が２倍速録音時に比較して上昇し、震動に対する耐久性は減少する。
【００５３】
しかしながら、４倍速録音は２倍速録音と比較して高速でＨＤ部２０５に音声信号を録音することが可能であることから、録音にかかる時間は短縮されるとともに、録音が短時間に行われるのでリトライ処理に対する対応強度が増加するというメリットを有する。
【００５４】
つぎに、制御部２００の制御内容の一例について図７のフローチャートを用いて説明する。このフローチャートに沿った制御処理は、例えば、ディスクの挿入検知をトリガとして開始される。同図に示すように、ステップＳ１では、２倍速でディスク先頭曲の音声信号のＨＤ部２０５への記録を開始する。
【００５５】
ステップＳ２では、録音用バッファＲＢのバッファオーバーフローによるリトライ処理が発生したか否かを判断する。この処理は、制御部２００が録音用バッファＲＢ内のオーバーフローの発生を検知することにより行う。そして、このステップＳ２でリトライ処理の発生を検知した場合には、ステップＳ１に戻り、先頭曲の始めから再び２倍速で録音を開始する。ステップＳ３では、現在録音中の音声信号の録音が完了したか否かを判断する。この判断は、例えば、制御部２００（マイコン）が音声信号に含まれる終了信号を検知することにより行われる。そして、その音声信号の録音が完了するまでリトライ処理を監視するともに（ステップＳ２）、２倍速で録音を継続する。
【００５６】
つぎに、ステップＳ３でその楽曲の録音が完了したと判断すると、ステップＳ４にすすみ、次に録音すべき音声信号があるか否かが判断され、なければ録音処理を終了する。また、続けて録音すべき音声信号があればステップＳ５にすすみ、今度は録音倍速を２倍速から４倍速に変更して音声信号の記録を開始する。この４倍速録音への変更は、制御部２００からＣＤ再生部２０１への変更命令により実行される。
【００５７】
ステップＳ６では、４倍速で録音を継続中にリトライ処理が発生したか否かが監視され、リトライ処理が発生しなければ録音が完了するまで録音が継続される（ステップＳ８）。また、ステップＳ６で、４倍速録音処理中にリトライ処理が発生したことを検知すると、録音倍速を４倍速から２倍速（低倍速）に変更して、リトライ処理の対象となった楽曲の先頭から再び２倍速録音で録音を開始する（ステップＳ７）。そして、リトライ処理が発生したか否かを監視しつつ、そのまま曲の録音が完了するまで２倍速録音を継続する。なお、２倍速で録音処理を継続中に再びリトライ処理が発生した場合には、その曲の先頭から再び２倍速録音を開始する。
【００５８】
ステップＳ８でその曲の録音が完了したことを検知すると、ステップＳ９で次の曲の録音すべき音声信号があるか否かが判断され、ある場合は録音速度を４倍速に変更して録音が開始される。また、つぎの録音すべき音声信号が存在しない場合は、そのまま録音を終了する。
【００５９】
以上、実施形態における制御部２００の制御内容について説明してきたが、実際にこの制御にしたがって楽曲を録音した場合の具体的な例について図８を用いて説明する。なお、以下の説明において、ＣＤには複数の曲が含まれており、各曲は複数の音声信号からなる音声信号群から構成されているものとする。このため、ディスク先頭曲とは、ディスク先頭部に記録された音声信号群と同じ意味である。また、ディスク先頭部に記録された音声信号群として１曲を単位として説明しているが、必ずしも1曲を単位として音声信号群を構成する必要はなく、再生時間、録音倍速、録音用バッファの容量を加味して複数曲をディスク先頭部に記録された音声信号群と考えることができるのはもちろんで可能である。
【００６０】
また、ディスク先頭曲とは、ディスクの挿入を検知した後に最初に読み出される楽曲であって、必ずしもディスクの先頭に記録されている楽曲のみを意味するものではない。例えば、ディスクの読出しが５曲目から始まる場合、ディスク先頭部に記録された音声信号群とは、ディスクに５曲目に記録された音声信号群を意味するものとする。
【００６１】
同図に示すように、本制御では、録音の速度（２倍速、４倍速）を録音対象（曲）及び録音する状況（リトライ処理が発生したか否か）に応じて使い分けることにより、上述した２倍速録音及び４倍速録音時の特性を最大限活用しようとするものである。
【００６２】
同図（Ａ）は、ディスクに記録された音声信号の再生処理の時間的な流れを示しており、１曲目（再生時間４分）から順に楽曲を再生している状態を示している。同図（Ｂ）〜（Ｅ）は、ディスクに記録された音声信号の録音処理を示している。
【００６３】
まず、ディスクがデッキ１に挿入されると、同図（Ｂ）に示すように、その１曲目（先頭曲）は２倍速で録音が開始され、その録音処理と略同時に再生処理が実行される。このように、まず２倍速で録音処理が行われるのは、前述したように、２倍速録音時には録音用バッファＲＢのバッファオーバーフローが生じにくくするためである。仮に、１曲目の録音が完了していない状態で、録音用バッファＲＢのバッファオーバーフローに起因するリトライ処理が発生した場合には必ず音切れが生じてしまうため、このような状況を回避するものである。
【００６４】
また、２倍速録音時にはエンコード処理を行わないため、ＨＤ部２０５自体の耐震性を向上させており、震動によるＨＤＤアクセス不可の状況に起因する録音用バッファＲＢ内に音声信号が過剰に蓄積されにくい環境を実現している。
【００６５】
１曲目の２倍速録音が完了すると、つぎに、ＨＤ部２０５への録音速度を２倍速から４倍速に変更する。この録音速度の変更は、前述したように、１曲目の音声信号に含まれるエンド信号が検出された場合に、制御手段２００からＣＤ再生部２０１に録音速度の変更命令が出されることにより行われる。同図（Ｃ）は、２倍速録音から４倍速録音に録音速度が変更された状態で、２曲目及び３曲目の録音処理がなされていることを示す。このように、２曲目以降を４倍速録音に変更することで録音処理にかかる時間を短縮するとともに、エンコード処理を実施することで、楽曲再生中に既にＨＤ部２０５に記録されている音声信号の圧縮を並行して実行することができる。
【００６６】
つぎに、３曲目の４倍速録音中に、時点aで震動によるＨＤＤアクセス不可の状況に起因する録音用バッファＲＢのオーバーフローが生じた場合について説明する。この場合、同図（Ｃ）に示すように、３曲目の録音が完了していないのでリトライ処理が発生し、リトライ発生前の同一曲である３曲目の先頭から再び録音を開始する。このとき、同図（Ｄ）で示すように、録音倍速はそれまでの４倍速から２倍速に変更され、２倍速で３曲目の録音が開始される。すなわち、リトライが発生する状況は、震動によりＨＤＤのアクセス不可が発生している状況であると考えることもできるので、このような状況において録音用バッファＲＢのバッファオーバーフローを発生しにくくするために、録音の倍速を４倍速から２倍速（低倍速）に変更する。これにより録音用バッファＲＢ内に音声信号が過剰に蓄積されにくい状況をつくる。また、２倍速録音時にエンコード処理を行わないのは、前述したとおりである。なお、この録音倍速の変更処理は、制御手段２００からの録音倍速の変更命令によりＣＤ再生部２０１側で行う。
【００６７】
そして、２倍速で３曲目の録音処理が完了すると、同図（Ｅ）に示すように、再び録音速度を２倍速録音から４倍速録音に変更して４曲目以降の録音を開始し、リトライ処理が発生するまで４倍速のまま録音を継続する。また、４曲目以降にリトライ処理が発生すれば、再び４倍速から２倍速に録音倍速を変更して録音を開始する。
【００６８】
以上説明した本実施形態の録音再生装置によれば、以下のような効果を得ることができる。すなわち、ディスク検知後の先頭曲の録音倍速を先頭曲以外の録音倍速と比較して低倍速としているので、先頭曲録音時の録音バッファのオーバーフローによる音切れが生じる可能性を低減することができ、また、低倍速時にはエンコード処理を行わないので、震動に対する影響を低減し、よりオーバーフローが生じにくい環境にすることができる。
【００６９】
また、先頭曲以外のオーバーフローの発生によるリトライ処理時に、前回の音声信号記録速度よりも低倍速で記録する構成としたので、リトライ処理時に録音バッファの再度のオーバーフローが生じる可能性を低減することができ、また、低倍速時にはエンコード処理を行わないので、震動に対する影響を低減し、よりオーバーフローが生じにくい環境にすることができる。さらに、本実施形態においては、再生用バッファが録音用バッファより大容量で構成されているので、再生用バッファ内により多くの楽曲信号を蓄積しておくことができ、再生用バッファと録音用バッファが同容量の場合と比較して、より再生用バッファ内の楽曲信号が枯渇する可能性を低減でき、音切れが発生する可能性を低減することができる。そして、上記の低倍速変更処理及びエンコード処理と合わせて用いることにより音切れ発生の有効な防止手段となる。
【００７０】
以上、本実施形態について説明したが、特許請求の範囲の記載内で種々に変形可能である。例えば、本実施形態においては、ディスクに記録された信号として非圧縮形式の音声信号を用いたが、圧縮データが記録されたディスクを用いてもよい。また、信号はオーディオデータには限らず、ＤＶＤ等の映像及び音声信号が用いられてもよい。この場合、ディスク先頭部の音声信号群としては、ＤＶＤのチャプター等が用いられる。すなわち、特許請求の範囲における音声信号とは、オーディオデータのみではなく、ＤＶＤ等に記録された映像信号及び音声信号を含むものである。
【図面の簡単な説明】
【００７１】
【図１】従来の録音再生装置におけるＨＤＤから読出されて再生される音声信号と、ＨＤＤに記録される音声信号との対応関係を模式的に示した模式図
【図２】複合装置の車両への搭載例を示す斜視図
【図３】複合装置の構成を示すブロック図
【図４】記録手段の記録内容の概要を示す模式図
【図５】楽曲再生部の構成を示すブロック図
【図６】記憶・再生処理のタイミングを示す図
【図７】制御部の制御内容を示すフローチャート
【図８】制御部の制御内容にしたがって処理した場合を示す模式図
【符号の説明】
【００７２】
２００  制御部
２０１  ＣＤ再生部
２０４  ＤＶＤ再生部
２０５  ＨＤ部
２１０  音声調整回路
【図１】
2007200492.tif 000003
【図２】
2007200492.tif 000004
【図３】
2007200492.tif 000005
【図４】
2007200492.tif 000006
【図５】
2007200492.tif 000007
【図６】
2007200492.tif 000008
【図７】
2007200492.tif 000009
【図８】
2007200492.tif 000010
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
記録媒体に記録された音声信号を読出す読出手段と、
前記読出手段により読出された音声信号を一時記憶するバッファ手段と、
前記バッファ手段に一時記憶された音声信号を記録する記録手段と、
前記記録手段に記録された音声信号を再生する再生手段と、
前記読出手段によって最初に読出される音声信号群の読出し速度を、二番目以降に読み出される音声信号群の音声信号の読出し速度より低い速度で読出し制御する制御手段と、を備えたことを特徴とする録音再生装置。
【請求項２】
記録媒体に記録された音声信号を読出す読出手段と、
前記読出手段により読出された音声信号を一時記憶するバッファ手段と、
前記バッファ手段に一時記憶された音声信号を記録する記録手段と、
前記記録手段に記録された音声信号を再生する再生手段と、  
前記読出手段の音声信号の読出し速度を制御する制御手段と、を備え、
前記バッファ手段がオーバーフローになった場合、
前記制御手段は、前記読出手段が再度前記記録媒体の同一の音声信号群の音声信号を読出す際に、前回の音声信号読出し速度よりも低い速度で読出すように制御することを特徴とする録音再生装置。
【請求項３】
読出手段で読出した信号を圧縮処理して記録手段に記録する圧縮処理手段と、を備え、
記録媒体に記録された音声信号を低い速度で読出す際は、圧縮処理しないことを特徴とする請求項１又は２に記載の録音再生装置。
【請求項４】
記録媒体に記録された音声信号を読出し、読出した音声信号を一時記憶し、一時記憶した音声信号を記録し、記録した音声信号を再生する録音再生方法において、
最初に読み出される音声信号群の読出し速度を、二番目以降に読出される音声信号群の音声信号の読出し速度より低い速度で読出すことを特徴とする録音再生方法。
【請求項５】
記録媒体に記録された音声信号を読出す読出手段と、
前記読出手段により読出された音声信号を一時記憶するバッファ手段と、
前記バッファ手段に一時記憶された音声信号を記録する記録手段と、
前記記録手段に記録された音声信号を再生する再生手段と、
前記読出手段による最初に読出される音声信号群の読出し速度を、二番目以降に読出される音声信号群の音声信号の読出し速度より低い速度で読出し制御する制御手段と、を備え、
前記記録手段はハードディスクドライブであることを特徴とする車載用録音再生装置。
【請求項６】
記録媒体に記録された音声信号を読出す読出手段と、
前記読出手段により読出された音声信号を一時記憶するバッファ手段と、
前記バッファ手段に一時記憶された音声信号を記録する記録手段と、
前記記録手段に記録された音声信号を再生する再生手段と、
前記読出手段の音声信号の読出し速度を制御する制御手段と、を備え、
前記制御手段は、前記再生手段が再生する音声信号と前記バッファ手段に一時記憶された音声信号とが同じ音声信号群である場合には、前記読出手段に第１の読出速度で音声信号を読出させ、
前記再生手段が再生する音声信号と前記バッファ手段に一時記憶された音声信号とが異なる音声信号群である場合には、前記読出手段に前記第１の読出速度よりも速い第２の読出速度で音声信号を読出させることを特徴とする車載用録音再生装置。
【手続補正２】
【補正対象書類名】明細書
【補正対象項目名】全文
【補正方法】変更
【補正の内容】
【発明の詳細な説明】
【技術分野】
【０００１】
本発明は、録音再生装置及び録音再生方法に関し、特にディスクに記録された音声信号を読出し、読出した信号を例えばハードディスクドライブ（以下、ＨＤＤという）に記録するとともに再生する録音再生装置及び録音再生方法に係る。
【背景技術】
【０００２】
従来より、大容量のＨＤＤを備え、ＣＤデッキ等で読取った音声信号を再生するとともに、読取った音声信号をＨＤＤに記録する録音再生装置が提供されている（例えば、特許文献１参照）。このような録音再生装置においては、ディスクに記録されている音声信号を高速で読出してＨＤＤに記録し、該ＨＤＤに記録された音声信号を通常の再生速度にて再生させることにより音声信号の記録処理と再生処理を同時に行う構成となっている。
【０００３】
図１は、従来の録音再生装置におけるＨＤＤから読出されて再生される音声信号と、ＨＤＤに記録される音声信号との対応関係を模式的に示したものである。以下、この図面を用いて、従来の再生処理（ＨＤＤからの読出し）と記録処理（ＨＤＤへの記録）の時間関係について説明する。なお、以下の説明においては、音楽、楽曲を対象とし、１曲目が４分、２曲目が６分、３曲目が８分、４曲目が８分の再生時間とする。
【０００４】
まず、同図（Ａ）に示すように、ＨＤＤに記録された１曲目の音声信号の再生が完了した時点ａに着目すると、ＨＤＤへの記録が２倍速に設定されている場合には、１曲目の記録が完了し、２曲目の記録途中となる。また、ＨＤＤへの記録が４倍速に設定されている場合には、２曲目までの記録が完了し、３曲目の記録途中となる。すなわち、ＨＤＤへの記録と再生の時間関係は、常に記録が先行して行われ、その先行度合が大きければ大きい程、以下の点で有利である。
【０００５】
すなわち、ＣＤ再生部から読出した音声信号を一時的に記憶するために、ＣＤ再生部とＨＤＤとの間に介在する録音バッファにオーバーフローが生じた場合は、録音バッファ内の音声信号を廃棄し、再び録音していた曲の先頭から音声信号を読出して録音バッファ内に蓄積するリトライ処理が行われる。例えば、図１（Ａ）の例では、時点ｂでリトライ処理が生じた場合には、２倍速録音時には２曲目の先頭から、４倍速録音時には３曲目の先頭から再び音声信号を読込んで録音バッファ内に蓄積を開始する。
【０００６】
しかし、前述のようにＨＤＤへの記録が先行しているので、オーバーフローが生じても、ＨＤＤに記録が完了した１曲目の音声信号を読出し続けることにより、楽曲の音切れを防止することができる。
【特許文献１】特開２００２−２６９９１１
【発明の開示】
【発明が解決しようとする課題】
【０００７】
このようにＨＤＤへの記録が再生に対して十分に先行していれば録音バッファのオーバーフロー、すなわちリトライ処理という現象への対応強度は増加することになる。そのためＣＤ再生部は４倍速、８倍速、１６倍速というように、より高速での読出しが求められている。しかし、上記のように構成された録音再生装置にあっては、図１（Ｂ）に示すように、再生している先頭曲と同一の音声信号のＨＤＤへの記録が完了していない時点ｃで、震動によるＨＤＤへのアクセス不可に起因する録音バッファのオーバーフローが生じた場合、ＨＤＤから読出す音声信号が途中までしかＨＤＤに記録されていないので、リトライ処理時に録音バッファ内の音声信号が廃棄されることにより、楽曲途中から出力すべき音声信号が存在せず楽曲の音切れが発生するという問題があった。
【０００８】
本発明は、上記課題を解決するためになされたものであり、再生している楽曲と同一の楽曲のＨＤＤへの記録が完了していない状態で、オーバーフローが生じにくく、これにより音切れが発生しにくい録音再生装置を提供することを目的とする。
【課題を解決するための手段】
【０００９】
ＨＤＤへの記録がある量以上、例えば1曲が完全に終了するまでは、録音バッファのオーバーフロー、すなわち、リトライ処理が生じないようにした点に着目した。    
【００１０】
そのために、請求項１の発明は、記録媒体に記録された音声信号を読出す読出手段と、前記読出手段により読出された音声信号を一時記憶するバッファ手段と、前記バッファ手段に一時記憶された音声信号を記録する記録手段と、前記記録手段に記録された音声信号を再生する再生手段と、前記読出手段によって最初に読出される音声信号群の読出し速度を、二番目以降に読出される音声信号群の音声信号の読出し速度より低い速度で読出し制御する制御手段と、を備えたことを特徴とする。
【００１１】
上記のように構成することにより、前記読出手段によって最初に読出される音声信号群の読出し速度が、二番目以降に読出される音声信号群の音声信号の読出し速度より低い速度となるので、録音バッファに蓄積される音声信号が低い速度で蓄積されるため、ＨＤＤへのアクセス不可時に発生する録音バッファのオーバーフローを発生しにくくすることができる。
【００１２】
また、請求項２の発明は、記録媒体に記録された音声信号を読出す読出手段と、前記読出手段により読出された音声信号を一時記憶するバッファ手段と、前記バッファ手段に一時記憶された音声信号を記録する記録手段と、前記記録手段に記録された音声信号を再生する再生手段と、前記読出手段の音声信号の読出し速度を制御する制御手段と、を備え、前記バッファ手段がオーバーフローになった場合、前記制御手段は、前記読出手段が再度前記記録媒体の同一の音声信号群の音声信号を読出す際に、前回の音声信号読出し速度よりも低い速度で読出すように制御することを特徴とする。
【００１３】
上記のように構成することにより、読出手段が再度同一の音声信号群の音声信号を読出しを、前回の読出し速度よりも低い速度で読出すので、ＨＤＤへのアクセス不可によるオーバーフローに起因するリトライ処理が発生した場合、再度の録音バッファのオーバーフローを生じにくくすることができる。
【００１４】
請求項３の発明は、請求項１又は２に記載された発明において、読出手段で読出した信号を圧縮処理して記録手段に記録する圧縮処理手段と、を備え、記録媒体に記録された音声信号を低い速度で読出す際は、圧縮処理しないことを特徴とする。
【００１５】
上記のように構成することにより、記録媒体に記録された音声信号を低い速度で読出す際は、圧縮処理（エンコード処理）を行わないので、ＨＤＤにアクセスする回数を減らすことにより、振動による影響を小さくすることができる。
【００１６】
請求項４の発明は、記録媒体に記録された音声信号を読出し、読出した音声信号を一時記憶し、一時記憶した音声信号を記録し、記録した音声信号を再生する録音再生方法において、最初に読出される音声信号群の読出し速度を、二番目以降に読出される音声信号群の音声信号の読出し速度より低い速度で読出すことを特徴とする。
【００１７】
上記のように構成することにより、最初に読出される音声信号群の読出し速度が、二番目以降に読出される音声信号群の音声信号の読出し速度より低い速度となるので、録音バッファに蓄積される音声信号が低い速度で蓄積されるため、ＨＤＤへのアクセス不可時に発生する録音バッファのオーバーフローを発生しにくくすることができる。
【００１８】
請求項５の発明は、記録媒体に記録された音声信号を読出す読出手段と、前記読出手段により読出された音声信号を一時記憶するバッファ手段と、前記バッファ手段に一時記憶された音声信号を記録する記録手段と、前記記録手段に記録された音声信号を再生する再生手段と、前記読出手段による最初に読出される音声信号群の読出し速度を、二番目以降に読出される音声信号群の音声信号の読出し速度より低い速度で読出し制御する制御手段と、を備え、前記記録手段はハードディスクドライブであることを特徴とする。
上記のように構成することにより、記録開始直後の（記録媒体から最初に読出される）音声信号群の読出し速度が、二番目以降に読出される音声信号群の音声信号の読出し速度より低い速度となるので、録音バッファに蓄積される音声信号が低い速度で蓄積されるため、車載用であることによる振動の発生によりＨＤＤへのアクセス不可が発生した場合に、このことによる録音バッファのオーバーフローを発生しにくくすることができる。
【００１９】
請求項６の発明は、記録媒体に記録された音声信号を読出す読出手段と、前記読出手段により読出された音声信号を一時記憶するバッファ手段と、前記バッファ手段に一時記憶された音声信号を記録する記録手段と、前記記録手段に記録された音声信号を再生する再生手段と、前記読出手段の音声信号の読出し速度を制御する制御手段と、を備え、前記制御手段は、前記再生手段が再生する音声信号と前記バッファ手段に一時記憶された音声信号とが同じ音声信号群である場合には、前記読出手段に第１の読出速度で音声信号を読出させ、前記再生手段が再生する音声信号と前記バッファ手段に一時記憶された音声信号とが異なる音声信号群である場合には、前記読出手段に前記第１の読出速度よりも速い第２の読出速度で音声信号を読出させることを特徴とする。
上記のように構成することにより、再生手段が再生する音声信号とバッファ手段に一時記憶された音声信号とが同じ音声信号群である場合には、再生手段が再生する音声信号とバッファ手段に一時記憶された音声信号とが異なる音声信号群である場合の読出し速度よりも低い速度となるので、録音バッファに蓄積される音声信号が低い速度で蓄積されるため、車載用であることによる振動の発生によりＨＤＤへのアクセス不可が発生した場合に、このことによる録音バッファのオーバーフローを発生しにくくすることができる。
【発明の効果】
【００２０】
本発明によれば、記録開始直後の（記録媒体から最初に読出される）音声信号群の音声信号を読出している際の録音バッファのオーバーフローが発生しにくい環境を作ることができる。また、高倍速で記録途中において再度の同一の音声信号群の音声信号を読出している際の録音バッファのオーバーフローが発生しにくい環境を作ることができる。
【発明を実施するための最良の形態】
【００２１】
以下、図面を用いて説明する。なお、以下の説明においては、録音再生装置が、他の機能を有する装置と複合された複合装置に適用された場合について説明する。このため、まず、複合装置全体の構成について説明した後、録音再生装置に該当する部分について説明する。
【００２２】
図２は、ナビゲーション機能、ＣＤ（Compact  Disc）、ＨＤＤ等の記録媒体に記録された音声信号やラジオ放送を再生する音響再生機能、ＤＶＤ（Digital Versatile Disk）、ＨＤＤ等の記録媒体に記録された画像信号やテレビ放送を再生する画像再生機能を有する複合装置（以降、ＡＶＮ（Audio Visual Navigation）装置と称する）の車両への搭載例を示す斜視図である。
【００２３】
図中、１２は助手席、１３は運転席、１４はフロントガラス、１５は操作部、１６はスピーカである。ＡＶＮ装置の表示部７は液晶表示素子により構成され、多くの場合、運転席１３と助手席１２とのほぼ中央に設けられる。ＡＶＮ装置に対する各種操作は、表示部７の表面側に配置された透明フィルムスイッチ等により構成されるタッチパネルや操作部１５、赤外線方式や無線方式のリモートコントローラによって行われる。車両の各ドアにはスピーカ１６が配置され、表示画像に連動した音声や警告音等が出力される。
【００２４】
図３は、ＡＶＮ装置の概略を示すブロック図である。図中、１２４はタッチパネル、２００は制御部、２０１はＣＤ再生部、２０２はラジオ受信部、２０３はＴＶ受信部、２０４はＤＶＤ再生部、２０５はＨＤ再生部、２０６はナビゲーション部、２０７は選択処理部、２０８は画像処理回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００２５】
表示部７は、ＴＶ画像や経路案内図を表示するもので、液晶パネル１００及びバックライト１０１から構成される。また、液晶パネル１００の表側に設置された透明フィルムスイッチ等により構成されるタッチパネル１２４により、表示部７はタッチ操作機能を備えている。尚、表示部７を液晶パネル以外のフラットパネルディスレイ、例えば有機ＥＬディスプレイパネル、プラズマディスプレイパネル、冷陰極フラットパネルディスプレイ等を用いることもでき、また奥行き寸法に問題がなければ陰極線（ブラウン）管を用いることも可能である。
【００２６】
ＣＤ再生部２０１は、ＣＤに記録された音声信号を読取り、選択処理部２０７に出力する。ラジオ受信部２０２は、ラジオ放送波を受信し、選択処理部２０７に出力する。ＴＶ受信部２０３は、テレビ放送波を受信し、選択処理部２０７に出力する。また、ＴＶ受信部２０３は、受信状態の良いアンテナを選択的に接続するセレクタ２１４を介して複数のアンテナが接続されたダイバーシティ受信方式が適用されている。ＤＶＤ再生部２０４は、ＤＶＤに記録された信号を読取り、選択処理部２０７に出力する。ＨＤ部２０５は、磁気ディスクに記録された信号を読取り、選択処理部２０７に出力すると共に、選択処理部２０７からの入力信号を磁気ディスクに記録するＨＤＤである。尚、ＨＤ部２０５は、ナビゲーション部２０６が用いる経路探索用と地図や風景表示用の道路データ、楽曲の音声データ、楽曲における曲名等の楽曲情報データを記憶し、またデータ処理のための一時記憶にも用いられる。カメラ２２０は、車両後方を撮像し、選択処理部２０７に出力する。
【００２７】
ナビゲーション部２０６は、使用者により設定された目的地までの経路を探索し、表示部７に案内画像を表示するもので、ＧＰＳ情報受信部２１３、車速センサ２２４，ジャイロ２２３からの信号を入力して自車位置を検出し、またＶＩＣＳ情報受信部２１２から交通情報を入力し、これらの情報を用いて経路探索、経路案内、交通情報の報知等を行う。
【００２８】
尚、ＧＰＳ情報受信部２１３はＧＰＳ衛星からのＧＰＳ信号を受信してそのＧＰＳ信号に基づき自車位置を算出する。車速センサ２２４は速度計やエンジン制御に用いられる車速センサが兼用され、車速信号を出力する。ジャイロ２２３は、２次元、あるいは３次元の半導体加速度検出器等により構成され、車両の角速度を検出する。そして、その角速度を積分処理し、積分処理開始時点における車両の基準方位に加算することにより車両の方向が求められる。
【００２９】
尚、車両の基準方位は、車両の方位を確定できる時点、例えば所定距離以上の直線走行が継続した時点で、自車位置情報（それまでにＧＰＳ情報等により算出された位置情報を使用）と地図情報との照合によりその走行路の方位を基準方位とする等、の方法により確定される。そして、求められた車両方位と車速とから速度（進行方向と速さ）を算出し、その速度を積分処理すると共に、基準位置に加算することにより車両位置が算出される。そして、車速センサ２２４及びジャイロ２２３により算出された自車位置が基準として採用され、ＧＰＳ情報受信部２１３により算出された自車位置が補完的、例えば所定時間毎にＧＰＳ情報受信部２１３により算出された自車位置により補正する処理が行われる。また、算出された自車位置を、道路データと照合して自車位置を補正する処理、例えば自車位置が道路データに基づき道路の存在しない位置にある場合に近い位置にある道路上に自車位置を補正する等の処理が行われる。
ＶＩＣＳ情報受信部２１２は、道路に沿って設置された光及び電波ビーコンから送信される交通情報、またＦＭ放送波に重畳される交通情報を受信し、ナビゲーション部２０６に出力する。ナビゲーション部２０６では、この交通情報を表示部７に表示したり、交通情報における渋滞情報・交通規制情報等を用いてこれら交通情報を反映した経路探索を行ったりする。
【００３０】
ＥＴＣ（Electronic  Toll  Collection）車載器２２４は、有料道路のゲート等に設置されたＥＴＣ路上機を介してＥＴＣセンターのセンター装置と通信し、有料道路の通行料精算処理等を行う。通信ユニット２２５は、無線通信網と接続して、インターネットや電子メール等を行うためのもので、無線（携帯）電話器、無線ＬＡＮ装置等により構成される。
【００３１】
リモコン送受信部２１６は、リモコン２１７と赤外線や電波により双方向通信接続され、リモコン操作者に操作に基づくリモコン２１７からの操作指示信号を受信し、またリモコン２１７における表示等のための報知情報や、リモコン２１７の動作モードを制御するための制御信号を送信する。操作部２１５は、ＡＶＮ装置に各種操作を行うためのもので、表示部７周囲に配置された押しボタンスイッチ等により構成される。尚、タッチパネル１２４も操作部２１５の一種で、タッチパネル１２４では表示部７の表示内容と連動してその操作内容が特定され、ＡＶＮ装置の対応する動作が行われることとなる。
【００３２】
メモリ２１８は、各種動作実現のためのプログラムやデータ、また各種処理実行中におけるデータの一時記憶のための半導体記憶装置で、ＲＯＭ（Read Only Memory），ＲＡＭ（Random Access Memory）により構成され、必要に応じて電気的に書換可能なＥＥＰＲＯＭ（Electronically Erasable and Programmable Read Only Memory）や、電源スイッチがオフ状態でも記憶内容保持用の電源供給が維持される電源バックアップ機能が施されたＲＡＭが用いられる。
【００３３】
選択処理部２０７は、ＣＤ再生部２０１、ラジオ受信部２０２等の再生信号源からの信号を選択して入力し、また必要に応じてそれらの信号を処理すると共に選択して出力するもので、切替スイッチ回路、ＤＳＰ等からなるデジタル信号処理回路、メモリ等により構成される。音声調整回路２１０は、音声信号を処理して出力音声のレベルの調整、周波数特性の調整、音場特性（遅延処理等による反射音，残響音特性）の調整するもので、ＤＳＰ（Digital Signal Processor）等からなるデジタル信号処理回路により構成される。この音声調整回路２１０で処理された音声信号は増幅器(図示せず)で増幅され、スピーカ１６から音声として出力される。
【００３４】
画像調整回路２０８は、画像信号を処理して表示画像の色調、明るさ、コントラスト調整、また分割画面や拡大・縮小画面、文字等を重畳表示するスーパーインポーズ処理を行うもので、処理対象の画像データを記憶する画像メモリ、画像メモリに記憶された画像データにデジタル演算処理を施すＤＳＰ等からなる画像デジタル処理回路、表示出力画像が記録されるＶＲＡＭ（ビデオＲＡＭ）等により構成される。画像出力部２１１は、画像処理部２０８のＶＲＡＭに記憶されたデータに基づき液晶パネル１００を駆動して所望画像を表示部７に表示するもので、ＶＲＡＭに記憶されたデータを液晶パネル１００駆動用の画像信号に変換する変換回路や増幅回路、同期信号生成回路等により構成される。
【００３５】
制御部２００は、操作部２１５等、各種入力部からの信号に基づき、ＣＤ再生部における再生開始、再生停止、選曲等の各構成要素の各種動作、画像調整部２０８や音声調整部２１０等の信号処理動作等を制御して、ＡＶＮ装置の動作全般を制御するもので、マイクロコンピュータにより構成される。
【００３６】
次ぎに、ＨＤ部２０５に記録されたデータについて説明する。図４は、ＨＤ部２０５の記録内容の概要を示す模式図である。ＨＤ部２０５には、処理を施すために楽曲の音声信号等の音声データを一時記録するための一時記録用データ領域Ｈ１、圧縮処理が施された楽曲の音声データ（以降圧縮楽曲データと称する）が記録された圧縮楽曲データ領域Ｈ２、ナビゲーション部２０６が用いる道路データや目的設定用の施設データ等のデータが記録されたナビデータ記録領域Ｈ３、曲名やアーティスト名等の楽曲情報が記憶された楽曲情報データ記録領域Ｈ４、及びＣＤあるいはＤＶＤで再生された楽曲を特定するための楽曲特定データが記録された楽曲特定データ記録領域Ｈ５が設けられ、各々対応するデータが記憶されている。尚、これら領域は説明を分かり易くするために模式的に示しており、図示のようにＨＤ部２０５の磁気ディスクの領域を予め設置していても良いが、各データにコードを付加するなどして識別して選択的に読取ることができるようにすれば事前に領域を定めて記録する必要は無い。
【００３７】
圧縮楽曲データ領域Ｈ２には、圧縮楽曲データがその圧縮方式等の圧縮情報（ＡＡＣ，ＡＴＲＡＣ３＋，ＷＭＡ，ＭＰ３等）を示すデータと共に記憶されている。
また、楽曲情報データ記録領域Ｈ４には、楽曲再生処理や楽曲検索等のための楽曲情報Ｇ１が記憶されている。尚、楽曲情報Ｇ１として、例えば、楽曲のＨＤ部２０５における記憶位置を示すアドレス、楽曲演奏時間、曲名、アーティスト名、アルバム名（収録ＣＤタイトル）等が記憶されている。楽曲特定データ記録領域Ｈ５には、楽曲情報と、ＣＤ（及びＤＶＤ）とその曲番とを関連付ける楽曲特定データＧ２が記憶されている。具体的には、ＣＤのＴＯＣ（Table Of Contents）情報と曲番（ＣＤ再生順）に対応付けて、楽曲情報が記憶されている。尚、これらの楽曲特定データは、ＡＶＮ装置製造時に基礎データが記憶しておき、後に発売されたＣＤ等の未記憶の楽曲特定データについては例えばＦＭ放送等の放送に重畳されたデータを取り込む方法や、インターネットを利用して取り込む方法が考えられる。
【００３８】
以上のように構成されたＡＶＮ装置において、本実施形態における録音再生装置は、例えば、制御部２００、ＣＤ再生部２０１、ＤＶＤ再生部２０４、ＨＤ部２０５、選択処理部２０７、音声調整回路２１０等により実現される。
【００３９】
次ぎに、上記のように構成された録音再生装置のＣＤ再生部２０１で演奏されたＣＤの再生、及びＨＤ部２０５に記録された楽曲の再生について記録・圧縮処理とともに説明する。図５は、選択処理部２０７におけるＣＤ再生部２０１で演奏されたＣＤ（またはＤＶＤ）の音声再生、及びＨＤ部２０５に記憶された楽曲の音声再生を行う楽曲再生部３００の構成を示す構成図である。
【００４０】
録音用バッファＲＢは、ＣＤ再生部２０１（あるいはＤＶＤ再生部２０４）からの音声データを一時記憶するＲＡＭから構成されたバッファメモリである。バッファメモリの一例について説明する。尚、他のバッファメモリ構成方法でも実施可能である。例えば、バッファメモリは、リングバッファにより構成され、ＣＤ再生部２０１からの入力データはＤＭＡＣ（Direct  Memory  Access  Controller）制御により順次巡回的に書き込まれる。また、リングバッファに書き込まれたデータは制御部２００（制御部２００より制御されるメモリコントローラ）により読取られ、例えば、ハードディスクコントローラによる制御（制御部２００による制御）でＨＤ部２０５に書き込まれる。
【００４１】
エンコーダＥＮは、ＨＤ部２０５の一時記憶用データ領域Ｈ１に記憶された音声データに圧縮処理を施すもので、圧縮機能をハード構成（論理回路等）により実現したＬＳＩ（Large Scale Integration）により構成される。尚、ＣＰＵ（Central Processing Unit）を用いたソフト処理により圧縮処理を行うことも可能である。再生用バッファＰＢは、音声再生する音声データを一時保持するＲＡＭから構成されたバッファメモリである。
【００４２】
本実施形態においては、この再生用バッファＰＢは、録音用バッファＲＢに比して、大容量に構成されている。デコーダＤＥは、再生用バッファＰＢに一時記録された音声データに施された圧縮方式に対応した伸長方式で処理し（非圧縮状態の楽曲音声データは非処理）、非圧縮状態の音声データに変換するもので、伸長機能をハード構成（論理回路等）により実現したＬＳＩにより構成される。尚、ＣＰＵを用いたソフト処理により伸長処理を行うことも可能である。
【００４３】
次ぎに、楽曲再生部３００のＣＤ再生及び記録動作について説明する。ＣＤの再生を開始するとＣＤ再生部２０１からの音声信号は、録音用バッファＲＢに記録され、またそのＴＯＣ情報は制御部２００に入力される。そして、録音用バッファＲＢに記録された音声信号は、ＨＤ部２０５の記録に適したタイミング（バッファＲＢへのデータ蓄積量が所定量以上になった等の条件が成立した時等）で、ＨＤ部２０５の一時記録用データ領域Ｈ１に所定のデータ量単位で書き込まれる。一時記録用データ領域Ｈ１に記憶された音声データはエンコーダＥＮで圧縮処理が施されて圧縮楽曲データ領域Ｈ２に記憶される。
【００４４】
また、一時記録用データ領域Ｈ１に記憶された音声データは、音声再生のため順次再生用バッファＰＢに書き込まれる。そして、再生用バッファＰＢに書き込まれた楽曲データは、曲再生タイミングに合わせて出力され、音声調整回路２１０で音量調整処理、音質調整処理、音場制御処理、デジタル−アナログ変換が施された後、電力増幅されスピーカ１６から音声再生される。なお、実施形態におけるＣＤ再生部２０１は、ディスクに記録された音声信号を２倍速、或いは４倍速で読取り可能に構成されており、制御部２００からの命令に基いて読取り速度（２倍速、４倍速）を変更可能に構成されている。
【００４５】
以上の例は通常のＣＤ（非圧縮楽曲データ）の再生の場合で、圧縮楽曲データが書き込まれたＣＤ−ＲＯＭをＣＤ再生部２０１で再生した場合には、録音用バッファＲＢに記憶されるデータは、ＣＤ−ＲＯＭに記憶された圧縮楽曲データで、その圧縮方式のままで一時記録用データ領域Ｈ１に記憶され、さらに圧縮楽曲データ領域Ｈ２に記憶される。尚、圧縮楽曲データ領域Ｈ２への記録に関しては、所定の圧縮形式（圧縮楽曲データ領域Ｈ２に記憶する圧縮形式は統一する）にエンコーダＥＮで変換して記憶する方法もある。また、一時記録用データ領域Ｈ１からその圧縮方式のままで再生バッファＰＢにも記憶され、デコーダＤＥにより伸長処理が施された後に、曲再生タイミングに合わせて出力され、音声調整回路２１０で音量調整処理、音質調整処理、音場制御処理、デジタル−アナログ変換が施された後、電力増幅されスピーカ１６から音声再生される。
【００４６】
また、ＣＤ−ＲＯＭに圧縮楽曲データと共に記録された楽曲情報データが制御部２００に入力され、制御部２００はこれら楽曲情報を圧縮楽曲データ領域Ｈ２に記憶された圧縮楽曲音声データに関連付けて楽曲情報データ領域Ｈ４に記録する。また、制御部２００は、通常のＣＤ（非圧縮楽曲データ）の再生の場合と同様、音声再生出力中の楽曲について、楽曲情報データ領域Ｈ４から楽曲情報を読込み、使用者の楽曲情報表示操作に応じて表示部７に楽曲情報に表示する。
【００４７】
次ぎに、楽曲再生部３００のＨＤ部２０５の再生動作について説明する。使用者がＨＤ部２０５（圧縮楽曲データ領域Ｈ２）に記憶された楽曲に再生指示操作を行った場合、制御部２００は、圧縮楽曲データ領域Ｈ２から該当する圧縮楽曲音声データをその圧縮方式のままで再生バッファＰＢに記憶させる。そして、再生バッファＰＢに記憶された圧縮楽曲音声データはデコーダＤＥにより伸長処理が施された後に、曲再生タイミングに合わせて出力され、音声調整回路２１０で音量調整処理、音質調整処理、音場制御処理、デジタル−アナログ変換が施された後、電力増幅されスピーカ１６から音声再生される。また、制御部２００は、音声再生出力中の楽曲について、楽曲情報データ領域Ｈ４から楽曲情報を読込み、使用者の楽曲情報表示操作に応じて表示部７に楽曲情報に表示する。
【００４８】
次に楽曲再生部３００の動作のタイミングについて図６を用いて説明する。同図（Ａ）は、２倍速録音時の音声信号のＨＤ部２０５への記録タイミング及びＨＤ部２０５からの音声信号の再生タイミングを示しており、同図に示すように２倍速録音処理及び再生処理が共に７２６ｍｓの間隔で順に行われる。２倍速録音処理は、後述する４倍速録音処理と比較して、ディスクから音声信号を読取る速度が遅いので読取られた音声信号が録音用バッファＲＢ内に蓄積される速度は４倍速録音時の半分となる。このため、振動発生に伴うＨＤ部２０５へのアクセス不可の状況が発生した場合、録音用バッファＲＢがオーバーフローする可能性を低減される。
【００４９】
また、同図に示すように、２倍速録音（低い速度での録音）時には圧縮処理が行われないため、２倍速録音時は、後述する４倍速録音時に比較して、ＨＤ部２０５へアクセスする頻度が減少し、これにより、ＨＤ部２０５の振動による影響を受ける可能性を減少させている。すなわち、ＨＤ部２０５へのアクセスの回数を制限することにより、振動の発生に伴うＨＤ部２０５へアクセス不可となる状況が発生する確率を減少させ、振動に対する耐久性を向上させている。
【００５０】
図６（Ｂ）は、４倍速録音時のＨＤ部２０５への記録タイミング及びＨＤ部２０５からの再生タイミングを示しており、同図に示すように、４倍速録音処理、圧縮対象となる音声信号のエンコード読出し処理及びエンコード書込み処理が共に３２６ｍｓの間隔で順に行われている。そして、再生処理のみが７２６ｍｓで行われている。
【００５１】
すなわち、この４倍速録音処理は、２倍速録音処理と比較して、高速でＨＤ部２０５へ音声信号を記録することが可能であるが、ディスクから音声信号を読取る速度が速いので読取られた音声信号が録音用バッファＲＢ内に蓄積される速度は２倍となる。このため、振動発生に伴うＨＤ部２０５へのアクセス不可の状況が発生した場合、録音用バッファＲＢがオーバーフローする可能性が２倍速録音の場合と比較して増加する。
【００５２】
また、実施形態では、４倍速録音時には、ＨＤ部２０５への書込み処理時に圧縮処理が行わる。このため、４倍速録音時は、ＨＤ部２０５へアクセスする頻度が増加し、振動によりＨＤ部２０５が影響を受ける可能性が増加する。したがって、振動の発生に伴うＨＤ部２０５へアクセス不可となる状況が発生する確率が２倍速録音時に比較して上昇し、振動に対する耐久性は減少する。
【００５３】
しかしながら、４倍速録音は２倍速録音と比較して高速でＨＤ部２０５に音声信号を録音することが可能であることから、録音にかかる時間は短縮されるとともに、録音が短時間に行われるのでリトライ処理に対する対応強度が増加するというメリットを有する。
【００５４】
つぎに、制御部２００の制御内容の一例について図７のフローチャートを用いて説明する。このフローチャートに沿った制御処理は、例えば、ディスクの挿入検知をトリガとして開始される。同図に示すように、ステップＳ１では、２倍速でディスク先頭曲の音声信号のＨＤ部２０５への記録を開始する。
【００５５】
ステップＳ２では、録音用バッファＲＢのバッファオーバーフローによるリトライ処理が発生したか否かを判断する。この処理は、制御部２００が録音用バッファＲＢ内のオーバーフローの発生を検知することにより行う。そして、このステップＳ２でリトライ処理の発生を検知した場合には、ステップＳ１に戻り、先頭曲の始めから再び２倍速で録音を開始する。ステップＳ３では、現在録音中の音声信号の録音が完了したか否かを判断する。この判断は、例えば、制御部２００（マイコン）が音声信号に含まれる終了信号を検知することにより行われる。そして、その音声信号の録音が完了するまでリトライ処理を監視するともに（ステップＳ２）、２倍速で録音を継続する。
【００５６】
つぎに、ステップＳ３でその楽曲の録音が完了したと判断すると、ステップＳ４にすすみ、次に録音すべき音声信号があるか否かが判断され、なければ録音処理を終了する。また、続けて録音すべき音声信号があればステップＳ５にすすみ、録音倍速を２倍速から４倍速に変更して音声信号の記録を開始する。この４倍速録音への変更は、制御部２００からＣＤ再生部２０１への変更命令により実行される。
【００５７】
ステップＳ６では、４倍速で録音を継続中にリトライ処理が発生したか否かが監視され、リトライ処理が発生しなければ録音が完了するまで録音が継続される（ステップＳ８）。また、ステップＳ６で、４倍速録音処理中にリトライ処理が発生したことを検知すると、録音倍速を４倍速から２倍速（低倍速）に変更して、リトライ処理の対象となった楽曲の先頭から再び２倍速録音で録音を開始する（ステップＳ７）。そして、リトライ処理が発生したか否かを監視しつつ、そのまま曲の録音が完了するまで２倍速録音を継続する。
なお、２倍速で録音処理を継続中に再びリトライ処理が発生した場合には、その曲の先頭から再び２倍速録音を開始する。
【００５８】
ステップＳ８でその曲の録音が完了したことを検知すると、ステップＳ９で次の曲の録音すべき音声信号があるか否かが判断され、ある場合は録音速度を４倍速に変更して録音が開始される。また、つぎの録音すべき音声信号が存在しない場合は、そのまま録音を終了する。
【００５９】
以上、実施形態における制御部２００の制御内容について説明してきたが、実際にこの制御にしたがって楽曲を録音した場合の具体的な例について図８を用いて説明する。なお、以下の説明において、ＣＤには複数の曲が含まれており、各曲は複数の音声信号からなる音声信号群から構成されているものとする。このため、ディスク先頭曲とは、ディスク先頭部に記録された音声信号群と同じ意味である。また、ディスク先頭部に記録された音声信号群として１曲を単位として説明しているが、必ずしも1曲を単位として音声信号群を構成する必要はなく、再生時間、録音倍速、録音用バッファの容量を加味して複数曲をディスク先頭部に記録された音声信号群と考えることができるのはもちろんで可能である。
【００６０】
また、ディスク先頭曲とは、ディスクの挿入を検知した後に最初に読み出される楽曲であって、必ずしもディスクの先頭に記録されている楽曲のみを意味するものではない。例えば、ディスクの読出しが５曲目から始まる場合、ディスク先頭部に記録された音声信号群とは、ディスクに５曲目に記録された音声信号群を意味するものとする。
【００６１】
同図に示すように、本制御では、録音の速度（２倍速、４倍速）を録音対象（曲）及び録音する状況（リトライ処理が発生したか否か）に応じて使い分けることにより、上述した２倍速録音及び４倍速録音時の特性を最大限活用しようとするものである。
【００６２】
同図（Ａ）は、ディスクに記録された音声信号の再生処理の時間的な流れを示しており、１曲目（再生時間４分）から順に楽曲を再生している状態を示している。同図（Ｂ）〜（Ｅ）は、ディスクに記録された音声信号の録音処理を示している。
【００６３】
まず、ディスクがデッキ１に挿入されると、同図（Ｂ）に示すように、その１曲目（先頭曲）は２倍速で録音が開始され、その録音処理と略同時に再生処理が実行される。このように、まず２倍速で録音処理が行われるのは、前述したように、２倍速録音時には録音用バッファＲＢのバッファオーバーフローが生じにくくするためである。仮に、１曲目の録音が完了していない状態で、録音用バッファＲＢのバッファオーバーフローに起因するリトライ処理が発生した場合には必ず音切れが生じてしまうため、このような状況を回避するものである。
【００６４】
また、２倍速録音時にはエンコード処理を行わないため、ＨＤ部２０５自体の耐震性を向上させており、振動によるＨＤＤアクセス不可の状況に起因する録音用バッファＲＢ内
に音声信号が過剰に蓄積されにくい環境を実現している。
【００６５】
１曲目の２倍速録音が完了すると、つぎに、ＨＤ部２０５への録音速度を２倍速から４倍速に変更する。この録音速度の変更は、前述したように、１曲目の音声信号に含まれるエンド信号が検出された場合に、制御手段２００からＣＤ再生部２０１に録音速度の変更命令が出されることにより行われる。同図（Ｃ）は、２倍速録音から４倍速録音に録音速度が変更された状態で、２曲目及び３曲目の録音処理がなされていることを示す。このように、２曲目以降を４倍速録音に変更することで録音処理にかかる時間を短縮するとともに、エンコード処理を実施することで、楽曲再生中に既にＨＤ部２０５に記録されている音声信号の圧縮を並行して実行することができる。
【００６６】
つぎに、３曲目の４倍速録音中に、時点aで振動によるＨＤＤアクセス不可の状況に起因する録音用バッファＲＢのオーバーフローが生じた場合について説明する。この場合、同図（Ｃ）に示すように、３曲目の録音が完了していないのでリトライ処理が発生し、リトライ発生前の同一曲である３曲目の先頭から再び録音を開始する。このとき、同図（Ｄ）で示すように、録音倍速はそれまでの４倍速から２倍速に変更され、２倍速で３曲目の録音が開始される。すなわち、リトライが発生する状況は、振動によりＨＤＤのアクセス不可が発生している状況であると考えることもできるので、このような状況において録音用バッファＲＢのバッファオーバーフローを発生しにくくするために、録音の倍速を４倍速から２倍速（低倍速）に変更する。これにより録音用バッファＲＢ内に音声信号が過剰に蓄積されにくい状況をつくる。また、２倍速録音時にエンコード処理を行わないのは、前述したとおりである。なお、この録音倍速の変更処理は、制御手段２００からの録音倍速の変更命令によりＣＤ再生部２０１側で行う。
【００６７】
そして、２倍速で３曲目の録音処理が完了すると、同図（Ｅ）に示すように、再び録音速度を２倍速録音から４倍速録音に変更して４曲目以降の録音を開始し、リトライ処理が発生するまで４倍速のまま録音を継続する。また、４曲目以降にリトライ処理が発生すれば、再び４倍速から２倍速に録音倍速を変更して録音を開始する。
【００６８】
以上説明した本実施形態の録音再生装置によれば、以下のような効果を得ることができる。すなわち、ディスク検知後の先頭曲の録音倍速を先頭曲以外の録音倍速と比較して低倍速としているので、先頭曲録音時の録音バッファのオーバーフローによる音切れが生じる可能性を低減することができ、また、低倍速時にはエンコード処理を行わないので、振動に対する影響を低減し、よりオーバーフローが生じにくい環境にすることができる。
【００６９】
また、先頭曲以外のオーバーフローの発生によるリトライ処理時に、前回の音声信号記録速度よりも低倍速で記録する構成としたので、リトライ処理時に録音バッファの再度のオーバーフローが生じる可能性を低減することができ、また、低倍速時にはエンコード処理を行わないので、振動に対する影響を低減し、よりオーバーフローが生じにくい環境にすることができる。さらに、本実施形態においては、再生用バッファが録音用バッファよ
り大容量で構成されているので、再生用バッファ内により多くの楽曲信号を蓄積しておくことができ、再生用バッファと録音用バッファが同容量の場合と比較して、より再生用バッファ内の楽曲信号が枯渇する可能性を低減でき、音切れが発生する可能性を低減することができる。そして、上記の低倍速変更処理及びエンコード処理と合わせて用いることにより音切れ発生の有効な防止手段となる。
【００７０】
以上、本実施形態について説明したが、特許請求の範囲の記載内で種々に変形可能である。例えば、本実施形態においては、ディスクに記録された信号として非圧縮形式の音声信号を用いたが、圧縮データが記録されたディスクを用いてもよい。また、信号はオーディオデータには限らず、ＤＶＤ等の映像及び音声信号が用いられてもよい。この場合、ディスク先頭部の音声信号群としては、ＤＶＤのチャプター等が用いられる。すなわち、特許請求の範囲における音声信号とは、オーディオデータのみではなく、ＤＶＤ等に記録された映像信号及び音声信号を含むものである。
【図面の簡単な説明】
【００７１】
【図１】従来の録音再生装置におけるＨＤＤから読出されて再生される音声信号と、ＨＤＤに記録される音声信号との対応関係を模式的に示した模式図
【図２】複合装置の車両への搭載例を示す斜視図
【図３】複合装置の構成を示すブロック図
【図４】記録手段の記録内容の概要を示す模式図
【図５】楽曲再生部の構成を示すブロック図
【図６】記憶・再生処理のタイミングを示す図
【図７】制御部の制御内容を示すフローチャート
【図８】制御部の制御内容にしたがって処理した場合を示す模式図
【符号の説明】
【００７２】
２００  制御部
２０１  ＣＤ再生部
２０４  ＤＶＤ再生部
２０５  ＨＤ部
２１０  音声調整回路
【手続補正３】
【補正対象書類名】図面
【補正対象項目名】図３
【補正方法】変更
【補正の内容】
【図３】
2007200492.tif 000011